(57)【要約】【課題】  簡単な構造で表示像に動きを持たせることができ、斬新な見栄えを可能とした表示装置を提供する。【解決手段】表示板５と、光源４が搭載される回路基板３と、光源４の光を表示板５へ導光する導光体６と、導光体６を保持する保持部材８とを備え、光源４が表示板用光源と、第１及び第２の光源４ａ、４ｂからなる導光体用光源から構成され、導光体６が、第１の光源４ａの出射光を表示板５側へ導光する第１の導光体６ａと、第２の光源４ｂの出射光を表示板５側へ導光する第２の導光体６ｂとからなる計器装置において、第１の導光体６ａは、第１の光源４ａからの出射光を拡散させる第１の拡散部６１ａを有し、第２の導光体６ｂは、第２の光源４ｂからの出射光を拡散させる第２の拡散部６１ｂを有し、観察者側から見たときに、第１の拡散部６１ａと第２の拡散部６１ｂが完全に重なり合わないように配置されている【選択図】  図２
2011099806.tif 000002
【特許請求の範囲】
【請求項１】
表示板と、光源が搭載される回路基板と、前記光源の光を前記表示板へ導光する導光体と、前記導光体を保持する保持部材とを備え、前記光源が前記表示板用光源と、第１及び第２の光源からなる前記導光体用光源から構成され、前記導光体が、前記第１の光源の出射光を前記表示板側へ導光する第１の導光体と、前記第２の光源の出射光を前記表示板側へ導光する第２の導光体とからなる計器装置において、
前記第１の導光体は、前記第１の光源からの出射光を拡散させる第１の拡散部を有し、
前記第２の導光体は、前記第２の光源からの出射光を拡散させる第２の拡散部を有し、
観察者側から見たときに、前記第１の拡散部と前記第２の拡散部が完全に重なり合わないように配置されていることを特徴とする表示装置。
【請求項２】
前記第１及び第２の拡散部は、シボ加工が施されたことを特徴とする請求項１に記載の表示装置。
【発明の詳細な説明】
【技術分野】
【０００１】
本発明は、表示装置に関するものであって、特に簡単な構造で表示像に動きを持たせることができ、斬新な見栄えを提供することを可能とした表示装置に関するものである。
【背景技術】
【０００２】
従来の表示装置は、特許文献１に記載されているように、表示板の透過スペクトルと一致する発光スペクトルを有する光源によって、表示板の背後に配置された導光体で光源の光を表示板へ導き、表示板に形成される指標部を照明する照明装置が知られている。
【先行技術文献】
【特許文献】
【０００３】
【特許文献１】特許第３０８４７１９号公報
【発明の概要】
【発明が解決しようとする課題】
【０００４】
しかしながら、このような表示装置は状況にあわせて光源を点灯、点滅させるだけの構造であるため、枠状に設けられた指標部が照明されて表示像が発光するのみで、表示部に面白味がなく、商品性に乏しいといった問題点があった。
【課題を解決するための手段】
【０００５】
そこで本発明は、表示板と、光源が搭載される回路基板と、前記光源の光を前記表示板へ導光する導光体と、前記導光体を保持する保持部材とを備え、前記光源が前記表示板用光源と、第１及び第２の光源からなる前記導光体用光源から構成され、前記導光体が、前記第１の光源の出射光を前記表示板側へ導光する第１の導光体と、前記第２の光源の出射光を前記表示板側へ導光する第２の導光体とからなる計器装置において、前記第１の導光体は、前記第１の光源からの出射光を拡散させる第１の拡散部を有し、前記第２の導光体は、前記第２の光源からの出射光を拡散させる第２の拡散部を有し、観察者側から見たときに、前記第１の拡散部と前記第２の拡散部が完全に重なり合わないように配置されているものである。
【０００６】
また本発明は、前記第１及び第２の拡散部は、シボ加工が施されたものである。
【発明の効果】
【０００７】
簡単な構造で表示像に動きを持たせることが可能な表示装置を提供する。
【図面の簡単な説明】
【０００８】
【図１】本発明における表示装置の実施例を表す正面図。
【図２】同上のＡ−Ａ断面図。
【図３】同上の表示部の変化を表す図。
【発明を実施するための形態】
【０００９】
本発明を計器装置に適用した実施例を、添付図面を用いて説明する。
【００１０】
計器装置は、前面カバー１と、裏カバー２と、裏カバー２に配置固定される回路基板３と、回路基板３上に実装される光源４と、表示板５と、光源４からの光を表示板５に導光するための導光体６と、表示板５を保持するケース材７とから主に構成される。
【００１１】
前面カバー１と裏カバー２は、合成樹脂などから形成されるものであって、前面カバー１は計器の前面に装着される透過性カバーであり、裏カバー２は例えば半透過性のカバーである。
【００１２】
回路基板３は、例えばガラスエポキシ基材に配線パターン（図示せず）を施した硬質の回路基板からなり、計器本体（図示せず）と光源４に電力供給を行う回路パターン（図示せず）を有する。
【００１３】
光源４は、回路基板３の前方側に配置された例えばチップ型発光ダイオードからなり、本実施形態では、表示板５を照明する表示板用光源（図示せず）と、後述する拡散部を照明するために導光体６の背後に配置された導光体用光源から構成されている。また、本実施形態では、図２に示すように導光体用光源は、第１の光源及び第２の光源４ａ、４ｂであって、例えば赤色のＬＥＤを用いた第１の光源４ａと緑色のＬＥＤを用いた第２の光源４ｂとから構成される。
【００１４】
表示板５は、例えば透過性合成樹脂からなる薄板状基材にスクリーン印刷を施してなるものであり、表示板５には、指針５１の回動軌道に沿って指示対象となる目盛や文字、マークなどが環状に印刷された表示部５２を備えている。また、図１に示すように、本実施形態では２つの表示部５２の間であって、表示板５の中心部に開口部５３が形成されている
【００１５】
開口部５３は、本実施形態の場合、表示板５に円形の切り抜きをした形状であり、後述する拡散部を観察者側から視認可能なように設けられたものである。
【００１６】
導光体６は、透明な合成樹脂で形成され、図２に示すように、開口部５３に対応する箇所が２枚重なり合った板状の導光板からなり、回路基板３に実装配置された第１の光源４ａからの出射光を表示板５の開口部１２へと導光するために、表示板５側から第１の光源４ａへと延設された第１の導光体６ａと、第２の光源４ｂからの出射光を開口部１２へと導光するために、表示板５側から第２の光源４ｂへと延設された第２の導光体６ｂとを有している。
【００１７】
また、第１の導光体６ａと第２の導光体６ｂは、第１及び第２の光源４ａ、４ｂから導かれた光が、開口部を抜けて、視認者に向けて反射されるように、導光板にシボ加工を施した拡散部６１を有している。
【００１８】
ケース体７は、例えば白色系の合成樹脂にてケース状に形成されたもので、回路基板３と表示板５との間に配置され、表示板５を保持する。
【００１９】
本実施形態の拡散部６１は、図３にあるように、それぞれ八等分に分けられた領域を等間隔空けてシボ加工などで表面加工した第１の拡散部６１ａと第２の拡散部６１ｂとが用いられる。第１の光源４aからの光は、第１の拡散部６１ａにて反射され、第２の光源４ｂからの光は、第２の拡散部６１ｂにて反射される。
【００２０】
また、第１の導光体５１と第２の導光体５２とは、本実施形態の場合、第１の導光体５１が表示板５側になるように重ね合わせてケース体７に配置されるが、第１の拡散部５１ａと第２の拡散部５２ａとが観察者からの視線上で完全に重なり合わないように、少なくとも一部分をずらして配置されている。
【００２１】
第１の光源４ａが点灯している時は、第１の導光板６ａの第１の拡散部６１ａのみ照明され、第２の光源４ｂが点灯している時は、第２の導光板６ｂの第２の拡散部６１ｂのみ照明されるように構成されてあり、光源を交互に点灯することで、開口部１２から見える表示像に動きを付加している。
【００２２】
このように、本発明は、表示板５と、光源４が搭載される回路基板３と、光源４の光を表示板５へ導光する導光体６と、導光体６を保持する保持部材８とを備え、光源４が表示板用光源と、第１及び第２の光源４ａ、４ｂからなる導光体用光源から構成され、導光体６が、第１の光源４ａの出射光を表示板５側へ導光する第１の導光体６ａと、第２の光源４ｂの出射光を表示板５側へ導光する第２の導光体６ｂとからなる計器装置において、第１の導光体６ａは、第１の光源４ａからの出射光を拡散させる第１の拡散部６１ａを有し、第２の導光体６ｂは、第２の光源４ｂからの出射光を拡散させる第２の拡散部６１ｂを有し、観察者側から見たときに、第１の拡散部６１ａと第２の拡散部６１ｂが完全に重なり合わないように配置されていることによって、２つの光源を順次点灯させ、拡散部が交互に照明されて表示像に動きを加えることが可能となり、商品性の向上に有効である。
【００２３】
また本発明は、前記第１及び第２の拡散部は、シボ加工が施されたことによって、光源からの出射光を効率よく視認者側へ反射させる事ができる。
【００２４】
なお、本実施形態では拡散部がシボ加工によって構成された例を説明したが、
導光体を通過した光源からの光が視認者に向けて反射されればよく、シボ加工の他に、例えば白印刷などを用いることもできる。
【００２５】
また、本実施例では第１の導光体５１及び第２の導光体５２を保持部８上に配置することで保持していたが、例えば前面カバー１と裏カバー２との間で狭持さるなど、保持方法は任意である。
【符号の説明】
【００２６】
３      回路基板
４      光源
４ａ    第１の光源
４ｂ    第２の光源
５      表示板
６ａ    第１の導光体
６ｂ    第２の導光体
７      ケース体
５３    開口部
６１ａ  第１の拡散部
６２ａ  第２の拡散部
【図１】
2011099806.tif 000003
【図２】
2011099806.tif 000004
【図３】
2011099806.tif 000005